(57)【特許請求の範囲】
【請求項１】
サーバにより実行され、
第１のアカウントが第２のアカウントのために送信した資格共有要求であって、前記第２のアカウントに目的サービスに対する優先申込資格を付与するように要求するための資格共有要求を受信することと、
前記第１のアカウントが前記目的サービスを利用したか否かを検出することと、
前記第１のアカウントが前記目的サービスを利用し、かつ、前記第１のアカウントの資格共有要求の個数が所定個数に達してない場合、前記第２のアカウントに前記目的サービスに対する優先申込資格を付与することと、
を含み、
前記目的サービスとは、提供量が需要量よりも小さいサービスをいう
ことを特徴とする資格付与方法。
【請求項２】
前記第２のアカウントに前記目的サービスに対する優先申込資格を付与することは、
前記資格共有要求に従って前記第２のアカウントの通信情報を取得することと、
前記通信情報に基いて前記第２のアカウントに、前記目的サービスを優先的に申し込む権限を有する優先申込資格コードを送信することと、
を含むことを特徴とする請求項１に記載の方法。
【請求項３】
第１のアカウントに対応する端末により実行され、
目的サービスのサービス識別子及び第２のアカウントの通信情報を取得することと、
前記サービス識別子及び前記通信情報に基いて、前記第２のアカウントに前記目的サービスに対する優先申込資格を付与するように要求するための資格共有要求を生成することと、
第１のアカウントが前記目的サービスを利用したこと及び前記第１のアカウントの資格共有要求の個数が所定個数に達してないことを検出した後に前記第２のアカウントに前記目的サービスに対する優先申込資格を付与するよう構成されたサーバに、前記資格共有要求を送信することと、
を含み、
前記目的サービスとは、提供量が需要量よりも小さいサービスをいう
ことを特徴とする資格付与方法。
【請求項４】
前記目的サービスのサービス識別子及び第２のアカウントの通信情報を取得することは、
ユーザにより利用された前記目的サービスに対してトリガーされた所定のトリガー信号を受信することと、
前記目的サービスに対応する資格共有インターフェースを提供することと、
前記資格共有インターフェースに基づいて前記目的サービスのサービス識別子及び前記第２のアカウントの通信情報を取得することと、
を含むことを特徴とする請求項３に記載の方法。
【請求項５】
サーバにより実行され、
第２のアカウントから送信された、目的サービスに対する優先申込資格を取得するように要求するための資格取得要求を受信することと、
前記第２のアカウントの友達関係の輪を取得することと、
前記資格取得要求を前記友達関係の輪のうち前記目的サービスを利用した友達に対応する第１のアカウントに転送することと、
前記第１のアカウントから送信された資格付与応答を受信し、かつ、前記第１のアカウントの資格付与応答の個数が所定個数に達してないことを検出した場合、前記第２のアカウントに前記目的サービスに対する優先申込資格を付与することと、
を含み、
前記目的サービスとは、提供量が需要量よりも小さいサービスをいう
ことを特徴とする資格付与方法。
【請求項６】
前記第２のアカウントに前記目的サービスに対する優先申込資格を付与することは、
前記資格取得要求に従って前記第２のアカウントの通信情報を取得することと、
前記通信情報に基いて前記第２のアカウントに、前記目的サービスを優先的に申し込む権限を有する優先申込資格コードを送信することと、
を含むことを特徴とする請求項５に記載の方法。
【請求項７】
第２のアカウントに対応する端末により実行され、
第２のアカウントの友達関係の輪を取得した後に資格取得要求を前記友達関係の輪のうち目的サービスを利用した友達に対応する第１のアカウントに転送するとともに、前記第１のアカウントから送信された資格付与応答を受信し、かつ、前記第１のアカウントの資格付与応答の個数が所定個数に達してないことを検出した場合に前記第２のアカウントに前記目的サービスに対する優先申込資格を付与するよう構成されたサーバに、前記目的サービスに対する優先申込資格を取得するように要求するための資格取得要求を送信することと、
前記サーバから付与された前記目的サービスに対する優先申込資格を取得することと、
を含み、
前記目的サービスとは、提供量が需要量よりも小さいサービスをいう
ことを特徴とする資格取得方法。
【請求項８】
前記サーバから付与された前記目的サービスに対する優先申込資格を取得することは、
前記サーバから送信された、前記目的サービスを優先的に申し込む権限を有する優先申込資格コードを受信すること、
を含むことを特徴とする請求項７に記載の方法。
【請求項９】
第１のアカウントに対応する端末により実行され、
サーバから転送された、目的サービスに対する優先申込資格を取得するように要求するための要求であって、第２のアカウントから前記サーバに送信されかつ前記サーバが第１のアカウントが前記目的サービスを使用したことを検出した後に第２のアカウントの友達関係の輪のうちの友達に対応するアカウントである第１のアカウントに転送した要求である資格取得要求を受信することと、
資格付与応答を、前記資格付与応答を受信し、かつ、前記第１のアカウントの資格付与応答の個数が所定個数に達してないことを検出した場合に前記第２のアカウントに前記目的サービスに対する優先申込資格を付与する前記サーバに送信することと、
を含み、
前記目的サービスとは、提供量が需要量よりも小さいサービスをいう
ことを特徴とする資格付与方法。
【請求項１０】
第１のアカウントが第２のアカウントのために送信した資格共有要求であって、前記第２のアカウントに目的サービスに対する優先申込資格を付与するように要求するための資格共有要求を受信するように構成された要求受信モジュールと、
前記第１のアカウントが前記目的サービスを利用したか否かを検出するように構成されたアカウント検出モジュールと、
前記アカウント検出モジュールが前記第１のアカウントが前記目的サービスを利用したことを検出し、かつ、前記第１のアカウントの資格共有要求の個数が所定個数に達してない場合、前記第２のアカウントに前記目的サービスに対する優先申込資格を付与するように構成された資格付与モジュールと、
を含み、
前記目的サービスとは、提供量が需要量よりも小さいサービスをいう
ことを特徴とする資格付与装置。
【請求項１１】
前記資格付与モジュールは、
前記資格共有要求に従って前記第２のアカウントの通信情報を取得するように構成された通信情報取得サブモジュールと、
前記通信情報取得サブモジュールで取得された前記通信情報に基づいて前記第２のアカウントに前記目的サービスを優先的に申し込む権限を有する優先申込資格コードを送信するように構成された資格付与サブモジュールと、
を含むことを特徴とする請求項１０に記載の装置。
【請求項１２】
目的サービスのサービス識別子及び第２のアカウントの通信情報を取得するように構成された情報取得モジュールと、
前記サービス識別子及び前記通信情報に基いて、前記第２のアカウントに前記目的サービスに対する優先申込資格を付与するように要求するための資格共有要求を生成するように構成された要求生成モジュールと、
第１のアカウントが前記目的サービスを利用したこと及び前記第１のアカウントの資格共有要求の個数が所定個数に達してないことを検出した後に前記第２のアカウントに前記目的サービスに対する優先申込資格を付与するよう構成されたサーバに、前記要求生成モジュールで生成された前記資格共有要求を送信するように構成された要求送信モジュールと、
を含み、
前記目的サービスとは、提供量が需要量よりも小さいサービスをいう
ことを特徴とする資格付与装置。
【請求項１３】
前記情報取得モジュールは、
ユーザにより利用された前記目的サービスに対してトリガーされた所定のトリガー信号を受信するように構成された信号受信サブモジュールと、
前記目的サービスに対応する資格共有インターフェースを提供するように構成されたインターフェース提供サブモジュールと、
前記インターフェース提供サブモジュールで提供された前記資格共有インターフェースに基づいて前記目的サービスのサービス識別子及び前記第２のアカウントの通信情報を取得するように構成された情報取得サブモジュールと、
を含むことを特徴とする請求項１２に記載の装置。
【請求項１４】
第２のアカウントから送信された、目的サービスに対する優先申込資格を取得するように要求するための資格取得要求を受信するように構成された要求受信モジュールと、
前記第２のアカウントの友達関係の輪を取得するように構成された関係の輪取得モジュールと、
前記資格取得要求を前記友達関係の輪のうち前記目的サービスを利用した友達に対応する第１のアカウントに転送するように構成された要求転送モジュールと、
前記第１のアカウントから送信された資格付与応答を受信し、かつ、前記第１のアカウントの資格付与応答の個数が所定個数に達してないことを検出した場合、前記第２のアカウントに前記目的サービスに対する優先申込資格を付与するように構成された資格付与モジュールと、
を含み、
前記目的サービスとは、提供量が需要量よりも小さいサービスをいう
ことを特徴とする資格付与装置。
【請求項１５】
前記資格付与モジュールは、
前記資格取得要求に従って前記第２のアカウントの通信情報を取得するように構成された通信情報取得サブモジュールと、
前記通信情報に基いて前記第２のアカウントに、前記目的サービスを優先的に申し込む権限を有する優先申込資格コードを送信するように構成された資格付与サブモジュールと、
を含むことを特徴とする請求項１４に記載の装置。
【請求項１６】
第２のアカウントの友達関係の輪を取得した後に資格取得要求を前記友達関係の輪のうち目的サービスを利用した友達に対応する第１のアカウントに転送するとともに、前記第１のアカウントから送信された資格付与応答を受信し、かつ、前記第１のアカウントの資格付与応答の個数が所定個数に達してないことを検出した場合に前記第２のアカウントに前記目的サービスに対する優先申込資格を付与するよう構成されたサーバに、前記目的サービスに対する優先申込資格を取得するように要求するための資格取得要求を送信するように構成された要求送信モジュールと、
前記サーバから付与された前記目的サービスに対する優先申込資格を取得するように構成された資格取得モジュールと、
を含み、
前記目的サービスとは、提供量が需要量よりも小さいサービスをいう
ことを特徴とする資格取得装置。
【請求項１７】
前記資格取得モジュールが、前記サーバから送信された、前記目的サービスを優先的に申し込む権限を有する優先申込資格コードを受信するようにさらに構成されたことを特徴とする請求項１６に記載の装置。
【請求項１８】
サーバから転送された、目的サービスに対する優先申込資格を取得するように要求するための要求であって、第２のアカウントから前記サーバに送信されかつ前記サーバが第１のアカウントが前記目的サービスを使用したことを検出した後に前記第２のアカウントの友達関係の輪のうちの友達に対応するアカウントである第１のアカウントに転送した要求である資格取得要求を受信するように構成された要求受信モジュールと、
資格付与応答を、前記資格付与応答を受信し、かつ、前記第１のアカウントの資格付与応答の個数が所定個数に達してないことを検出した場合に前記第２のアカウントに前記目的サービスに対する優先申込資格を付与する前記サーバに送信するように構成された応答送信モジュールと、
を含み、
前記目的サービスとは、提供量が需要量よりも小さいサービスをいう
ことを特徴とする資格付与装置。
【請求項１９】
プロセッサと、
前記プロセッサが実行可能な命令を記憶するメモリと、を含み、
前記プロセッサは、
第１のアカウントが第２のアカウントのために送信した資格共有要求であって、前記第２のアカウントに目的サービスに対する優先申込資格を付与するように要求するための資格共有要求を受信し、
前記第１のアカウントが前記目的サービスを利用したか否かを検出し、
前記第１のアカウントが前記目的サービスを利用し、かつ、前記第１のアカウントの資格共有要求の個数が所定個数に達してない場合、前記第２のアカウントに前記目的サービスに対する優先申込資格を付与する、
ように構成され、
前記目的サービスとは、提供量が需要量よりも小さいサービスをいう
ことを特徴とする資格付与装置。
【請求項２０】
プロセッサと、
前記プロセッサが実行可能な命令を記憶するメモリと、を含み、
前記プロセッサは、
目的サービスのサービス識別子及び第２のアカウントの通信情報を取得し、
前記サービス識別子及び前記通信情報に基いて、前記第２のアカウントに前記目的サービスに対する優先申込資格を付与するように要求するための資格共有要求を生成し、
第１のアカウントが前記目的サービスを利用したこと及び前記第１のアカウントの資格共有要求の個数が所定個数に達してないことを検出した後に前記第２のアカウントに前記目的サービスに対する優先申込資格を付与するよう構成されたサーバに、前記資格共有要求を送信する、
ように構成され、
前記目的サービスとは、提供量が需要量よりも小さいサービスをいう
ことを特徴とする資格付与装置。
【請求項２１】
プロセッサと、
前記プロセッサが実行可能な命令を記憶するメモリと、を含み、
前記プロセッサは、
第２のアカウントから送信された、目的サービスに対する優先申込資格を取得するように要求するための資格取得要求を受信し、
前記第２のアカウントの友達関係の輪を取得し、
前記資格取得要求を前記友達関係の輪のうち前記目的サービスを利用した友達に対応する第１のアカウントに転送し、
前記第１のアカウントから送信された資格付与応答を受信し、かつ、前記第１のアカウントの資格付与応答の個数が所定個数に達してないことを検出した場合、前記第２のアカウントに前記目的サービスに対する優先申込資格を付与する、
ように構成され、
前記目的サービスとは、提供量が需要量よりも小さいサービスをいう
ことを特徴とする資格付与装置。
【請求項２２】
プロセッサと、
前記プロセッサが実行可能な命令を記憶するメモリと、を含み、
前記プロセッサは、
第２のアカウントの友達関係の輪を取得した後に資格取得要求を前記友達関係の輪のうち目的サービスを利用した友達に対応する第１のアカウントに転送するとともに、前記第１のアカウントから送信された資格付与応答を受信し、かつ、前記第１のアカウントの資格付与応答の個数が所定個数に達してないことを検出した場合に前記第２のアカウントに前記目的サービスに対する優先申込資格を付与するよう構成されたサーバに、前記目的サービスに対する優先申込資格を取得するように要求するための資格取得要求を送信し、
前記サーバから付与された前記目的サービスに対する優先申込資格を取得する、
ように構成され、
前記目的サービスとは、提供量が需要量よりも小さいサービスをいう
ことを特徴とする資格取得装置。
【請求項２３】
プロセッサと、
前記プロセッサが実行可能な命令を記憶するメモリと、を含み、
前記プロセッサは、
サーバから転送された、目的サービスに対する優先申込資格を取得するように要求するための要求であって、第２のアカウントから前記サーバに送信されかつ前記サーバが第１のアカウントが前記目的サービスを使用したことを検出した後に前記第２のアカウントの友達関係の輪のうちの友達に対応するアカウントである第１のアカウントに転送した要求である資格取得要求を受信し、
資格付与応答を、前記資格付与応答を受信し、かつ、前記第１のアカウントの資格付与応答の個数が所定個数に達してないことを検出した場合に前記第２のアカウントに前記目的サービスに対する優先申込資格を付与する前記サーバに送信する、
ように構成され、
前記目的サービスとは、提供量が需要量よりも小さいサービスをいう
ことを特徴とする資格付与装置。
【請求項２４】
プロセッサに実行されることにより、請求項１〜６、９のいずれかに記載の資格付与方法、または、請求項７又は８に記載の資格取得方法を実現することを特徴とするプログラム。
【請求項２５】
請求項２４に記載のプログラムが記録された記録媒体。
【発明の詳細な説明】
【技術分野】
【０００１】
本発明はインターネットの技術分野に関し、特に資格付与方法、資格取得方法、装置、プログラム及び記録媒体に関する。
【背景技術】
【０００２】
サーバは、ユーザに各種のサービス、例えば物品購入サービス、勲章送信サービス等を提供することができる。ユーザは、それ自身がサーバにおいて登録したアカウントで該サービスを申し込んで利用することができる。しかし、そのうちのいくつかのサービスは提供数が有限であるので、サーバは、一部のアカウントだけに該サービスを提供することができる。
【０００３】
従来の技術では、サーバが約束時刻で該サービスを提供する申込を開放しているが、該サービスを申し込みたいユーザの数が多い可能性があるので、サーバは、短時間内で異なるアカウントからの多くの申込要求を受信して、ネットワーク輻輳、さらにサーバの停止をもたらすおそれがある。
【発明の概要】
【０００４】
従来の技術ではネットワーク輻輳、さらにサーバ停止をもたらすという問題を解決するために、本発明の実施例は、資格付与方法、資格取得方法、装置、プログラム及び記録媒体を提供する。上記技術手段は以下のとおりである。
【０００５】
本発明の実施例の第１の態様によれば、
第１のアカウントが第２のアカウントのために送信した資格共有要求であって、第２のアカウントに目的サービスに対する優先申込資格を付与するように要求するための資格共有要求を受信することと、
第１のアカウントが目的サービスを利用したか否かを検出することと、
第１のアカウントが目的サービスを利用した場合、第２のアカウントに目的サービスに対する優先申込資格を付与することと、
を含む資格付与方法を提供する。
【０００６】
好ましくは、第２のアカウントに目的サービスに対する優先申込資格を付与することは、
資格共有要求に従って第２のアカウントの通信情報を取得することと、
通信情報に基いて第２のアカウントに、目的サービスを優先的に申し込む権限を有する優先申込資格コードを送信することと、を含む。
【０００７】
好ましくは、目的サービスは、提供量が需要量よりも小さいサービスである。
【０００８】
第２の態様によれば、
目的サービスのサービス識別子及び第２のアカウントの通信情報を取得することと、
サービス識別子及び通信情報に基いて、第２のアカウントに目的サービスに対する優先申込資格を付与するように要求するための資格共有要求を生成することと、
第１のアカウントが目的サービスを利用したことを検出した後に第２のアカウントに目的サービスに対する優先申込資格を付与するよう構成されたサーバに、資格共有要求を送信することと、
を含む資格付与方法を提供する。
【０００９】
好ましくは、目的サービスのサービス識別子及び第２のアカウントの通信情報を取得することは、
ユーザにより利用された目的サービスに対してトリガーされた所定のトリガー信号を受信することと、
目的サービスに対応する資格共有インターフェースを提供することと、
資格共有インターフェースに基づいて目的サービスのサービス識別子及び第２のアカウントの通信情報を取得することと、を含む。
【００１０】
好ましくは、目的サービスは、提供量が需要量よりも小さいサービスである。
【００１１】
第３の態様によれば、
第２のアカウントから送信された、目的サービスに対する優先申込資格を取得するように要求するための資格取得要求を受信することと、
第２のアカウントの友達関係の輪を取得することと、
資格取得要求を友達関係の輪のうち目的サービスを利用した友達に対応する第１のアカウントに転送することと、
第１のアカウントから送信された資格付与応答を受信した場合、第２のアカウントに目的サービスに対する優先申込資格を付与することと、
を含む資格付与方法を提供する。
【００１２】
好ましくは、第２のアカウントに目的サービスに対する優先申込資格を付与することは、
資格取得要求に従って第２のアカウントの通信情報を取得することと、
通信情報に基いて第２のアカウントに、目的サービスを優先的に申し込む権限を有する優先申込資格コードを送信することと、を含む。
【００１３】
好ましくは、目的サービスは、提供量が需要量よりも小さいサービスである。
【００１４】
第４の態様によれば、
第２のアカウントの友達関係の輪を取得した後に資格取得要求を友達関係の輪のうち目的サービスを利用した友達に対応する第１のアカウントに転送するとともに、第１のアカウントから送信された資格付与応答を受信した場合に第２のアカウントに目的サービスに対する優先申込資格を付与するよう構成されたサーバに、目的サービスに対する優先申込資格を取得するように要求するための資格取得要求を送信することと、
サーバから付与された目的サービスに対する優先申込資格を取得することと、
を含む資格取得方法を提供する。
【００１５】
好ましくは、サーバから付与された目的サービスに対する優先申込資格を取得することは、
サーバから送信された、目的サービスを優先的に申し込む権限を有する優先申込資格コードを受信すること、を含む。
【００１６】
好ましくは、目的サービスは、提供量が需要量よりも小さいサービスである。
【００１７】
第５の態様によれば、
サーバから転送された、目的サービスに対する優先申込資格を取得するように要求するための要求であって、第２のアカウントからサーバに送信されかつサーバが第１のアカウントが目的サービスを使用したことを検出した後に第２のアカウントの友達関係の輪のうちの友達に対応するアカウントである第１のアカウントに転送した要求である資格取得要求を受信することと、
資格付与応答を、資格付与応答を受信した場合に第２のアカウントに目的サービスに対する優先申込資格を付与するサーバに送信することと、
を含む資格付与方法を提供する。
【００１８】
好ましくは、目的サービスは、提供量が需要量よりも小さいサービスである。
【００１９】
第６の態様によれば、
第１のアカウントが第２のアカウントのために送信した資格共有要求であって、第２のアカウントに目的サービスに対する優先申込資格を付与するように要求するための資格共有要求を受信するように構成された要求受信モジュールと、
第１のアカウントが目的サービスを利用したか否かを検出するように構成されたアカウント検出モジュールと、
アカウント検出モジュールが第１のアカウントが目的サービスを利用したことを検出した場合、第２のアカウントに目的サービスに対する優先申込資格を付与するように構成された資格付与モジュールと、
を含む資格付与装置を提供する。
【００２０】
好ましくは、該資格付与モジュールは、
資格共有要求に従って第２のアカウントの通信情報を取得するように構成された通信情報取得サブモジュールと、
通信情報取得サブモジュールで取得された通信情報に基づいて第２のアカウントに目的サービスを優先的に申し込む権限を有する優先申込資格コードを送信するように構成された資格付与サブモジュールと、を含む。
【００２１】
好ましくは、目的サービスは、提供量が需要量よりも小さいサービスである。
【００２２】
第７の態様によれば、
目的サービスのサービス識別子及び第２のアカウントの通信情報を取得するように構成された情報取得モジュールと、
サービス識別子及び通信情報に基いて、第２のアカウントに目的サービスに対する優先申込資格を付与するように要求するための資格共有要求を生成するように構成された要求生成モジュールと、
第１のアカウントが目的サービスを利用したことを検出した後に第２のアカウントに目的サービスに対する優先申込資格を付与するよう構成されたサーバに、要求生成モジュールで生成された資格共有要求を送信するように構成された要求送信モジュールと、
を含む資格付与装置を提供する。
【００２３】
好ましくは、該情報取得モジュールは、
ユーザにより利用された目的サービスに対してトリガーされた所定のトリガー信号を受信するように構成された信号受信サブモジュールと、
目的サービスに対応する資格共有インターフェースを提供するように構成されたインターフェース提供サブモジュールと、
インターフェース提供サブモジュールで提供された資格共有インターフェースに基づいて目的サービスのサービス識別子及び第２のアカウントの通信情報を取得するように構成された情報取得サブモジュールと、を含む。
【００２４】
好ましくは、目的サービスは、提供量が需要量よりも小さいサービスである。
【００２５】
第８の態様によれば、
第２のアカウントから送信された、目的サービスに対する優先申込資格を取得するように要求するための資格取得要求を受信するように構成された要求受信モジュールと、
第２のアカウントの友達関係の輪を取得するように構成された関係の輪取得モジュールと、
資格取得要求を友達関係の輪のうち目的サービスを利用した友達に対応する第１のアカウントに転送するように構成された要求転送モジュールと、
第１のアカウントから送信された資格付与応答を受信した場合、第２のアカウントに目的サービスに対する優先申込資格を付与するように構成された資格付与モジュールと、
を含む資格付与装置を提供する。
【００２６】
好ましくは、該資格付与モジュールは、
資格取得要求に従って第２のアカウントの通信情報を取得するように構成された通信情報取得サブモジュールと、
通信情報に基いて第２のアカウントに、目的サービスを優先的に申し込む権限を有する優先申込資格コードを送信するように構成された資格付与サブモジュールと、を含む。
【００２７】
好ましくは、目的サービスは、提供量が需要量よりも小さいサービスである。
【００２８】
第９の態様によれば、
第２のアカウントの友達関係の輪を取得した後に資格取得要求を友達関係の輪のうち目的サービスを利用した友達に対応する第１のアカウントに転送するとともに、第１のアカウントから送信された資格付与応答を受信した場合に第２のアカウントに目的サービスに対する優先申込資格を付与するよう構成されたサーバに、目的サービスに対する優先申込資格を取得するように要求するための資格取得要求を送信するように構成された要求送信モジュールと、
サーバから付与された目的サービスに対する優先申込資格を取得するように構成された資格取得モジュールと、
を含む資格取得装置を提供する。
【００２９】
好ましくは、該資格取得モジュールは、サーバから送信された、前記目的サービスを優先的に申し込む権限を有する優先申込資格コードを受信するように構成される。
【００３０】
好ましくは、目的サービスは、提供量が需要量よりも小さいサービスである。
【００３１】
第１０の態様によれば、
サーバから転送された、目的サービスに対する優先申込資格を取得するように要求するための要求であって、第２のアカウントからサーバに送信されかつサーバが第１のアカウントが目的サービスを使用したことを検出した後に第２のアカウントの友達関係の輪のうちの友達に対応するアカウントである第１のアカウントに転送した要求である資格取得要求を受信するように構成された要求受信モジュールと、
資格付与応答を、資格付与応答を受信した場合に第２のアカウントに目的サービスに対する優先申込資格を付与するサーバに送信するように構成された応答送信モジュールと、
を含む資格付与装置を提供する。
【００３２】
好ましくは、目的サービスは、提供量が需要量よりも小さいサービスである。
【００３３】
第１１の態様によれば、
プロセッサと、
プロセッサが実行可能な命令を記憶するメモリと、を含み、
プロセッサは、
第１のアカウントが第２のアカウントのために送信した資格共有要求であって、第２のアカウントに目的サービスに対する優先申込資格を付与するように要求するための資格共有要求を受信し、
第１のアカウントが目的サービスを利用したか否かを検出し、
第１のアカウントが目的サービスを利用した場合、第２のアカウントに目的サービスに対する優先申込資格を付与する、
ように構成された資格付与装置を提供する。
【００３４】
第１２の態様によれば、
プロセッサと、
プロセッサが実行可能な命令を記憶するメモリと、を含み、
プロセッサは、
目的サービスのサービス識別子及び第２のアカウントの通信情報を取得し、
サービス識別子及び通信情報に基いて、第２のアカウントに目的サービスに対する優先申込資格を付与するように要求するための資格共有要求を生成し、
第１のアカウントが目的サービスを利用したことを検出した後に第２のアカウントに目的サービスに対する優先申込資格を付与するよう構成されたサーバに、資格共有要求を送信する、
ように構成された資格付与装置を提供する。
【００３５】
第１３の態様によれば、
プロセッサと、
プロセッサが実行可能な命令を記憶するメモリと、を含み、
プロセッサは、
第２のアカウントから送信された、目的サービスに対する優先申込資格を取得するように要求するための資格取得要求を受信し、
第２のアカウントの友達関係の輪を取得し、
資格取得要求を友達関係の輪のうち目的サービスを利用した友達に対応する第１のアカウントに転送し、
第１のアカウントから送信された資格付与応答を受信した場合、第２のアカウントに目的サービスに対する優先申込資格を付与する、
ように構成された資格付与装置を提供する。
【００３６】
第１４の態様によれば、
プロセッサと、
プロセッサが実行可能な命令を記憶するメモリと、を含み、
プロセッサは、
第２のアカウントの友達関係の輪を取得した後に資格取得要求を友達関係の輪のうち目的サービスを利用した友達に対応する第１のアカウントに転送するとともに、第１のアカウントから送信された資格付与応答を受信した場合に第２のアカウントに目的サービスに対する優先申込資格を付与するよう構成されたサーバに、目的サービスに対する優先申込資格を取得するように要求するための資格取得要求を送信し、
サーバから付与された目的サービスに対する優先申込資格を取得する、
ように構成された資格取得装置を提供する。
【００３７】
第１５の態様によれば、
プロセッサと、
プロセッサが実行可能な命令を記憶するメモリと、を含み、
プロセッサは、
サーバから転送された、目的サービスに対する優先申込資格を取得するように要求するための要求であって、第２のアカウントからサーバに送信されかつサーバが第１のアカウントが目的サービスを使用したことを検出した後に第２のアカウントの友達関係の輪のうちの友達に対応するアカウントである第１のアカウントに転送した要求である資格取得要求を受信し、
資格付与応答を、資格付与応答を受信した場合に第２のアカウントに目的サービスに対する優先申込資格を付与するサーバに送信する、
ように構成された資格付与装置を提供する。
第１６の態様によれば、プロセッサに実行されることにより、前記の資格付与方法、または、前記の資格取得方法を実現することを特徴とするプログラムを提供する。
第１７の態様によれば、前記のプログラムが記録された記録媒体を提供する。
【００３８】
本発明の実施例に係る技術手段は、以下の有益な効果を含む。
【００３９】
第１のアカウントが第２のアカウントのために送信した資格共有要求を受信することと、第１のアカウントが目的サービスを利用したか否かを検出することと、第１のアカウントが目的サービスを利用した場合、第２のアカウントに目的サービスに対する優先申込資格を付与することにより、従来の技術ではネットワーク輻輳、さらにサーバ停止をもたらすという問題を解決し、目的サービスを利用した第１のアカウントから第２のアカウントに優先申込資格を共有し、目的サービスを適切に第２のアカウントに提供するという効果を達成する。
【００４０】
以上の一般的な説明及び後述の詳細な説明は、例示的なものに過ぎず、本発明を限定するものではないことを理解すべきである。
【図面の簡単な説明】
【００４１】
ここで、図面は明細書に組み込んで本明細書の一部とし、本発明に合致する実施例を示すとともに、明細書とともに本発明の原理を説明する。
【図１】図１は、各例示的な実施例に示される実施環境の構造概略図である。
【図２】図２は、１つの例示的な実施例に示される資格付与方法のフローチャートである。
【図３】図３は、他の例示的な実施例に示される資格付与方法のフローチャートである。
【図４Ａ】図４Ａは、さらなる１つの例示的な実施例に示される資格付与方法のフローチャートである。
【図４Ｂ】図４Ｂは、さらなる１つの例示的な実施例に示される第１の端末がサービス識別子及び通信情報を取得する場合の表示概略図である。
【図５Ａ】図５Ａは、さらなる１つの例示的な実施例に示される資格付与方法のフローチャートである。
【図５Ｂ】図５Ｂは、さらなる１つの例示的な実施例に示される第１の端末がトリガー信号を受信する際の表示概略図である。
【図５Ｃ】図５Ｃは、さらなる１つの例示的な実施例に示される第１の端末がユーザから入力された通信情報を受信する際の表示概略図である。
【図６】図６は、１つの例示的な実施例に示される資格付与方法のフローチャートである。
【図７】図７は、１つの例示的な実施例に示される資格取得方法のフローチャートである。
【図８】図８は、１つの例示的な実施例に示される資格付与方法のフローチャートである。
【図９】図９は、他の例示的な実施例に示される資格付与方法のフローチャートである。
【図１０】図１０は、１つの例示的な実施例に示される資格付与装置のブロック図である。
【図１１】図１１は、他の例示的な実施例に示される資格付与装置のブロック図である。
【図１２】図１２は、さらなる１つの例示的な実施例に示される資格付与装置のブロック図である。
【図１３】図１３は、さらなる１つの例示的な実施例に示される資格付与装置のブロック図である。
【図１４】図１４は、さらなる１つの例示的な実施例に示される資格付与装置のブロック図である。
【図１５】図１５は、さらなる１つの例示的な実施例に示される資格付与装置のブロック図である。
【図１６】図１６は、１つの例示的な実施例に示される資格取得装置のブロック図である。
【図１７】図１７は、さらなる１つの例示的な実施例に示される資格付与装置のブロック図である。
【図１８】図１８は、１つの例示的な実施例に示される端末のブロック図である。
【図１９】図１９は、１つの例示的な実施例に示されるサーバのブロック図である。
【００４２】
上記図面から本発明の明確な実施例を例示し、以下、詳しく記述する。これらの図面と文字記述は本発明の思想の範囲を制限するものではなく、特定の実施例を参照することによって、当業者に本発明の概念を理解させるためのものである。
【発明を実施するための形態】
【００４３】
ここで、例示的実施例を詳しく説明し、その実施例は図面に示される。以下の説明は図面に係る場合、特別に示されない限り、異なる図面における同じ符号は同じ又は共通する要素を示す。本発明に合致するすべての実施の形態は、以下の例示的実施例で記述される実施の形態に限られない。逆に、以下の例示的実施例で記述される実施の形態は、特許請求の範囲に詳しく記述される、本発明のいくつかの形態に合致する装置及び方法の例に過ぎない。
【００４４】
理解の便宜のために、まず、本発明の各実施例に関わるいくつかの用語を簡単に説明する。
【００４５】
目的サービスとは、提供量が需要量よりも小さいサービスをいう。目的サービスは、物品購入サービス、勲章送信サービス、仮想ネットワークサービス、仮想ギフトパックサービス等でよい。例えば、目的サービスは、携帯電話購入サービスであり、貨物供給数量が１０万であるが、需要量が２０数万である可能性がある。ユーザは、それ自身がサーバにおいて登録したアカウントで該サービスを申し込んで利用する。
【００４６】
優先申込資格とは、目的サービスを優先的に申し込む資格をいう。好ましくは、一般的なアカウントが申込資格を有さない場合、優先申込資格を有するアカウントは申込資格を有する。或いは、一般的なアカウントと優先申込資格を有するアカウントはすべて申込資格を有する場合、優先申込資格を有するアカウントの申込がサーバに受け付けられる優先度は、一般的なアカウントの申込がサーバに受け付けられる優先度よりも高い。
【００４７】
図１は、本発明の各例示的な実施例に関わる１つの実施環境を示す構造概略図であり、図１に示すように、該実施環境は、第１のアカウントに対応する第１の端末１１０、第２のアカウントに対応する第２の端末１２０及びサーバ１３０を含む。
【００４８】
第１の端末１１０及び第２の端末１２０は、携帯電話、タブレットＰＣ、電子ブックリーダー、デスクトップコンピュータ、ノートブック及びゲーム機器のような端末であってもよい。第１の端末１１０と第２の端末１２０は、有線又は無線ネットワークを介してサーバ１３０に接続することができる。
【００４９】
サーバ１３０は、１つのコンピュータ、複数のコンピュータ、又はクラウドコンピューティングセンターであってもよい。サーバ１３０は、第１の端末１１０及び第２の端末１２０に目的サービスを提供するためのものである。
【００５０】
上記実施環境では、第２のアカウントが目的サービスに対する優先申込資格を取得する取得方式は、以下の二種類を含んでよい。
【００５１】
第１種、第１のアカウントが自発的に第２のアカウントのために資格共有要求を送信でき、該資格共有要求は、第２のアカウントに目的サービスに対する優先申込資格を付与するようにサーバに要求するためのものであり、サーバが第１のアカウントから送信された資格共有要求を受信するとともに、第１のアカウントが該目的サービスを利用したことを検出した場合、サーバが第２のアカウントに目的サービスに対する優先申込資格を付与する。
【００５２】
第２種、第２のアカウントが自発的に資格取得要求をサーバに送信でき、該資格取得要求は、目的サービスの優先申込資格を取得するようにサーバに要求するためのものである。サーバは、該資格取得要求を友達関係の輪のうち該目的サービスを利用した友達に対応する第１のアカウントに転送するとともに、第１のアカウントの資格付与応答を受信した場合、第２のアカウントに目的サービスに対する優先申込資格を付与する。
【００５３】
以下、異なる実施例で上記二種類の状況を説明する。
【００５４】
図２は、本発明の１つの例示的な実施例に示される資格付与方法を示す方法フローチャートであり、本実施例では、該資格付与方法を図１に示すサーバ１３０に用いることを例として説明する。図２に示すように、該資格付与方法は以下のステップを含む。
【００５５】
ステップ２０１では、第１のアカウントが第２のアカウントのために送信した資格共有要求であって、第２のアカウントに目的サービスに対する優先申込資格を付与するように要求するための資格共有要求を受信する。
【００５６】
ステップ２０２では、第１のアカウントが目的サービスを利用したか否かを検出する。
【００５７】
ステップ２０３では、第１のアカウントが目的サービスを利用した場合、第２のアカウントに目的サービスに対する優先申込資格を付与する。
【００５８】
以上をまとめると、本実施例に係る資格付与方法は、第１のアカウントが第２のアカウントのために送信した資格共有要求を受信することと、第１のアカウントが目的サービスを利用したか否かを検出することと、第１のアカウントが目的サービスを利用した場合、第２のアカウントに目的サービスに対する優先申込資格を付与することにより、従来の技術ではネットワーク輻輳、さらにサーバ停止をもたらすという問題を解決し、目的サービスを利用した第１のアカウントから第２のアカウントに優先申込資格を共有し、目的サービスを適切に第２のアカウントに提供するという効果を達成する。
【００５９】
図３は、本発明の他の１つの実施例に係る資格付与方法を示す方法フローチャートであり、本実施例では、該資格付与方法を図１に示す第１の端末１１０に用いることを例として説明する。図３に示すように、該資格付与方法は以下のステップを含む
ステップ３０１では、目的サービスのサービス識別子及び第２のアカウントの通信情報を取得する。
【００６０】
ステップ３０２では、サービス識別子及び通信情報に基いて、第２のアカウントに目的サービスに対する優先申込資格を付与するように要求するための資格共有要求を生成する。
【００６１】
ステップ３０３では、第１のアカウントが目的サービスを利用したことを検出した後に第２のアカウントに目的サービスに対する優先申込資格を付与するよう構成されたサーバに、該資格共有要求を送信する。
【００６２】
以上をまとめると、本実施例に係る資格付与方法は、第１のアカウントにより目的サービスのサービス識別子及び第２のアカウントの通信情報を取得することと、サービス識別子及び通信情報に基いて資格共有要求を生成することと、サーバに該資格共有要求を送信することにより、従来の技術ではネットワーク輻輳、さらにサーバ停止をもたらすという問題を解決し、目的サービスを利用した第１のアカウントから第２のアカウントに優先申込資格を共有し、目的サービスを適切に第２のアカウントに提供するという効果を達成する。
【００６３】
図４Ａは、本発明のさらなる１つの実施例に係る資格付与方法を示す方法フローチャートであり、本実施例では、該資格付与方法を図１に示す実施環境に用いることを例として説明する。図４Ａに示すように、該資格付与方法は以下のステップを含む。
【００６４】
ステップ４０１では、第１の端末は目的サービスのサービス識別子及び第２のアカウントの通信情報を取得する。
【００６５】
第１の端末は第１のアカウントに対応する端末である。言い換えれば、第１の端末では第１のアカウントでログインしたクライアントが動作している。第１の端末は、目的サービスのサービス識別子及び第２のアカウントの通信情報を取得する。
【００６６】
第２のアカウントの通信情報は、携帯電話番号、メールボックス番号、インスタント通信アカウント等でよい。
【００６７】
第２のアカウント自身が通信アカウントであれば、又はサーバに第２のアカウントの通信情報が記憶されていれば、第１の端末は、第２のアカウントのアカウント識別子を第２のアカウントの通信情報として用いることができる。
【００６８】
第１の端末が目的サービスのサービス識別子を取得するステップは、第１の端末に識別子入力ボックスを表示して、ユーザが識別子入力ボックスにおいて入力した目的サービスのサービス識別子を受信することを含む。
【００６９】
第１の端末が第２のアカウントの通信情報を取得するステップは、第２の端末に通信情報入力ボックスを表示して、ユーザが通信情報入力ボックスにおいて入力した第２のアカウントの通信情報を受信することを含む。
【００７０】
同時に図４Ｂを参照すると、第１の端末に識別子入力ボックス４１及び通信情報入力ボックス４２を表示する。目的サービスが物品Ａの購入サービスであると仮定すれば、ユーザは、識別子入力ボックス４１において物品Ａの識別子「ａ」を入力し、通信情報入力ボックス４２において第２のアカウントのインスタント通信番号「６１２３４５６」を入力する。
【００７１】
ステップ４０２では、第１の端末はサービス識別子及び通信情報に基いて、第２のアカウントに目的サービスに対する優先申込資格を付与するように要求するための資格共有要求を生成する。
【００７２】
第１の端末は資格共有要求を生成し、該資格共有要求は、目的サービスのサービス識別子及び第２のアカウントの通信情報を持つ資格共有要求である。
【００７３】
ステップ４０３では、第１の端末はサーバに資格共有要求を送信する。
【００７４】
ステップ４０４では、サーバは第１のアカウントが第２のアカウントのために送信した資格共有要求であって、第２のアカウントに目的サービスに対する優先申込資格を付与するように要求するための資格共有要求を受信する。
【００７５】
ステップ４０５では、サーバは第１のアカウントが目的サービスを利用したか否かを検出する。
【００７６】
サーバは、資格共有要求からサービス識別子を解析する。サーバは、第１のアカウントの履歴利用記録に基いて、該第１のアカウントが該サービス識別子に対応する目的サービスを利用したか否かを検出する。
【００７７】
第１のアカウントの履歴利用記録が他のサーバに保存されていれば、サーバは、他のサーバに第１のアカウントに関する利用記録照会要求を送信し、次にサーバは他のサーバからフィードバックされた照会結果を受信し、照会結果に基いて第１のアカウントが該サービス識別子に対応する目的サービスを利用したか否かを検出する。
【００７８】
例えば、依然として目的サービスが物品Ａの購入サービスであることを例として、第１のアカウントが物品Ａを購入していれば、サーバは、該第１のアカウントが物品Ａの購入サービスを利用したことを検出する。
【００７９】
ステップ４０６では、第１のアカウントが目的サービスを利用した場合、サーバは資格共有要求に従って第２のアカウントの通信情報を取得する。
【００８０】
サーバは、さらに資格共有要求から第２のアカウントの通信情報を解析する。
【００８１】
資格共有要求に持っているのが第２のアカウントのアカウント識別子であれば、サーバは、保存されている各アカウントの通信情報から該第２のアカウントのアカウント識別子に対応する通信情報を照会する。第２のアカウントの通信情報は、携帯電話番号、メールボックスアドレス、インスタント通信アカウント等でよい。
【００８２】
ステップ４０７では、サーバは、通信情報に基いて第２のアカウントに、目的サービスを優先的に申し込む権限を有する優先申込資格コードを送信する。
【００８３】
優先申込資格は、優先申込資格コードで示されてよく、優先申込資格コードは、サーバで生成された一列の固定長の文字列でよい。第２のアカウントは、目的サービスを申し込む場合、優先申込資格コードを入力してサーバに自己の優先申込資格を示すことができる。
【００８４】
サーバは、優先申込資格コードを生成し、次に第２のアカウントの通信情報に基いて第２のアカウントに優先申込資格コードを送信する。
【００８５】
ステップ４０８では、第２の端末はサーバから送信された優先申込資格コードを受信する。
【００８６】
補充説明すべきことは、本実施例では、サーバが第１のアカウントが目的サービスを使用したことを検出した後に第２のアカウントに優先申込資格コードを送信することだけを例とし、好ましくは、サーバは、第１のアカウントが同一のサービスについて送信した資格共有要求の個数を検出してもよく、送信した資格共有要求の個数が最大の個数に達すれば、サーバは、第１のアカウントが目的サービスを利用したことを検出しても、優先申込資格コードを第２のアカウントに送信しない。即ち、ステップ４０６の前に、サーバは以下のステップを実行してもよい。即ち、同種のサービスに対応して、サーバは、受信した第１のアカウントから送信された資格共有要求の個数が最大の個数に達するか否かを検出し、最大の個数に達していなければ、ステップ４０６を実行するが、本実施例ではこれを限定しない。
【００８７】
以上をまとめると、本実施例に係る資格付与方法は、第１のアカウントにより目的サービスのサービス識別子及び第２のアカウントの通信情報を取得することと、サービス識別子及び通信情報に基いて資格共有要求を生成することと、サーバに該資格共有要求を送信することにより、従来の技術ではネットワーク輻輳、さらにサーバ停止をもたらすという問題を解決し、目的サービスを利用した第１のアカウントから第２のアカウントに優先申込資格を共有し、目的サービスを適切に第２のアカウントに提供するという効果を達成する。
【００８８】
図５Ａは、本発明のさらなる１つの実施例に係る資格付与方法を示す方法フローチャートであり、本実施例では、該資格付与方法を図１に示す実施環境に用いることを例として説明する。図５Ａに示すように、該資格付与方法は以下のステップを含む。
【００８９】
ステップ５０１では、第１の端末は、ユーザにより利用された目的サービスに対してトリガーされた所定のトリガー信号を受信する。
【００９０】
第１の端末は第１のアカウントに対応する端末である。言い換えれば、第１の端末では第１のアカウントでログインしたクライアントが動作している。
【００９１】
該第１の端末には第１のアカウントの履歴利用記録を保存することができる。ユーザは、該履歴利用記録を見ると共に、利用した目的サービスに対して所定のトリガー信号をトリガーすることができる。該所定のトリガー信号は、長押し信号でよい。
【００９２】
同時に図５Ｂを参照すると、目的サービスが物品Ａの購入サービスであると仮定すれば、第１の端末に第１のアカウントの履歴利用記録が記憶されており、ユーザは該履歴利用記録を見るとともに、物品Ａの利用記録５１を長押すことにより、所定のトリガー信号をトリガーすることができる。
【００９３】
ステップ５０２では、第１の端末は目的サービスに対応する資格共有インターフェースを提供する。
【００９４】
第１の端末は、所定のトリガー信号を受信すると、目的サービスに対応する資格共有インターフェースを提供する。該資格共有インターフェースは通信情報入力ボックスを含む。
【００９５】
同時に図５Ｃを参照すると、第１の端末に通信情報入力ボックス５２が表示され、該通信情報入力ボックス５２は、ユーザから入力された通信情報を受信する。
【００９６】
ステップ５０３では、第１の端末は、資格共有インターフェースに基づいて目的サービスのサービス識別子及び第２のアカウントの通信情報を取得する。
【００９７】
第１の端末は、所定のトリガー信号を受信して資格共有インターフェースを表示した場合、目的サービスのサービス識別子を取得する。例えば、ユーザが図５Ｂにおける物品を長押す場合、第１の端末は、物品Ａの物品識別子「ａ」を取得する。
【００９８】
ユーザが資格共有インターフェースの入力ボックスにおいて通信情報を入力した後、第１の端末は、ユーザから入力された通信情報を第２のアカウントの通信情報として確定する。例えば、ユーザが通信情報入力ボックス５２において電話番号１３８１２３４５６７８を入力した場合、第１の端末は、１３８１２３４５６７８を第２のアカウントの通信情報とすることができる。
【００９９】
ステップ５０４では、第１の端末はサービス識別子及び通信情報に基いて第２のアカウントに目的サービスに対する優先申込資格を付与するように要求するための資格共有要求を生成する。
【０１００】
第１の端末は資格共有要求を生成し、該資格共有要求は目的サービスのサービス識別子及び第２のアカウントの通信情報を持つ資格共有要求である。
【０１０１】
ステップ５０５では、第１の端末はサーバに資格共有要求を送信する。
【０１０２】
ステップ５０６では、サーバは第１のアカウントが第２のアカウントのために送信した資格共有要求であって、第２のアカウントに目的サービスに対する優先申込資格を付与するように要求するための資格共有要求を受信する。
【０１０３】
ステップ５０７では、サーバは資格共有要求に従って第２のアカウントの通信情報を取得する。
【０１０４】
サーバは資格共有要求から第２のアカウントの通信情報を解析する。
【０１０５】
資格共有要求に持っているのが第２のアカウントのアカウント識別子であれば、サーバは、保存されている各アカウントの通信情報から該第２のアカウントのアカウント識別子に対応する通信情報を照会する。第２のアカウントの通信情報は、携帯電話番号、メールボックスアドレス、インスタント通信アカウント等でよい。
【０１０６】
ステップ５０８では、サーバは通信情報に基いて第２のアカウントに、目的サービスを優先的に申し込む権限を有する優先申込資格コードを送信する。
【０１０７】
優先申込資格は、優先申込資格コードで示されてよく、優先申込資格コードは、サーバで生成された一列の固定長の文字列でよい。第２のアカウントは、目的サービスを申し込む場合、優先申込資格コードを入力してサーバに自己の優先申込資格を示すことができる。
【０１０８】
サーバは、優先申込資格コードを生成し、次に第２のアカウントの通信情報に基いて第２のアカウントに優先申込資格コードを送信する。
【０１０９】
ステップ５０９では、第２の端末はサーバから送信された優先申込資格コードを受信する。
【０１１０】
以上をまとめると、本実施例に係る資格付与方法は、第１のアカウントにより利用された目的サービスのサービス識別子及び第２のアカウントの通信情報を取得することと、サービス識別子及び通信情報に基いて資格共有要求を生成することと、サーバに該資格共有要求を送信することにより、従来の技術ではネットワーク輻輳、さらにサーバ停止をもたらすという問題を解決し、目的サービスを利用した第１のアカウントから第２のアカウントに優先申込資格を共有し、目的サービスを適切に第２のアカウントに提供するという効果を達成する。
【０１１１】
補充説明すべきことは、本実施例では、サーバが第１のアカウントから送信された資格共有要求を受信した後、第２のアカウントの通信情報を直接取得し、さらに第２のアカウントに優先申込資格コードを送信することだけを例とし、好ましくは、不正者が偽りの資格共有要求をサーバに送信した後にもサーバが第２のアカウントに優先申込資格コードを送信する場合が発生することを避けるために、サーバは、第１のアカウントから送信された資格共有要求を受信した後、依然として第１のアカウントが目的サービスを利用したか否かを検出することができ、本実施例ではこれを限定しない。かつ、サーバは、第１のアカウントが目的サービスを利用したか否かを検出する前に、以下のステップを実行してもよい。即ち、同一のサービスに対応して、サーバは、受信した資格共有要求の個数が最大の個数に達するか否かを検出し、最大の個数に達していなければ、上記検出ステップを実行するが、本実施例ではこれを限定しない。
【０１１２】
図６は、本発明のさらなる１つの実施例に係る資格付与方法を示す方法フローチャートであり、本実施例では、該資格付与方法を図１に示すサーバ１３０に用いることを例として説明する。図６に示すように、該資格付与方法は、以下のステップを含む。
【０１１３】
ステップ６０１では、第２のアカウントから送信された、目的サービスに対する優先申込資格を取得するように要求するための資格取得要求を受信する。
【０１１４】
ステップ６０２では、第２のアカウントの友達関係の輪を取得する。
【０１１５】
ステップ６０３では、資格取得要求を友達関係の輪のうち目的サービスを利用した友達に対応する第１のアカウントに転送する。
【０１１６】
ステップ６０４では、第１のアカウントから送信された資格付与応答を受信した場合、第２のアカウントに目的サービスに対する優先申込資格を付与する。
【０１１７】
以上をまとめると、本実施例に係る資格付与方法は、第２のアカウントから送信された資格取得要求を第２のアカウントの友達関係の輪のうち目的サービスを利用した友達に対応する第１のアカウントに転送し、さらに第１のアカウントの資格付与応答を受信した場合、第２のアカウントに目的サービスに対する優先申込資格を付与することにより、従来の技術ではネットワーク輻輳、さらにサーバ停止をもたらすという問題を解決し、目的サービスを利用した第１のアカウントから第２のアカウントに優先申込資格を共有し、目的サービスを適切に第２のアカウントに提供するという効果を達成する。
【０１１８】
図７は、本発明のさらなる１つの実施例に係る資格取得方法を示す方法フローチャートであり、本実施例では、該資格取得方法を図１に示す第２の端末１２０に用いることを例として説明する。図７に示すように、該資格取得方法は、以下のステップを含む。
【０１１９】
ステップ７０１では、第２のアカウントの友達関係の輪を取得した後に資格取得要求を友達関係の輪のうち目的サービスを利用した友達に対応する第１のアカウントに転送するとともに、第１のアカウントから送信された資格付与応答を受信した場合に第２のアカウントに目的サービスに対する優先申込資格を付与するよう構成されたサーバに、目的サービスに対する優先申込資格を取得するように要求するための資格取得要求を送信する。
【０１２０】
ステップ７０２では、サーバから付与された目的サービスに対する優先申込資格を取得する。
【０１２１】
以上をまとめると、本実施例に係る資格取得方法は、資格取得要求をサーバに送信し、サーバが該資格取得要求を友達関係の輪のうち該サービスを利用した友達に対応する第１のアカウントに転送するとともに、第１のアカウントから送信された資格付与応答を受信した場合、第２のアカウントに目的サービスに対する優先申込資格を付与することと、それに対応して、第２のアカウントがサーバから付与された優先申込資格を取得することにより、従来の技術ではネットワーク輻輳、さらにサーバ停止をもたらすという問題を解決し、目的サービスを利用した第１のアカウントから第２のアカウントに優先申込資格を共有し、目的サービスを適切に第２のアカウントに提供するという効果を達成する。
【０１２２】
図８は、本発明のさらなる１つの実施例に係る資格付与方法を示す方法フローチャートであり、本実施例では、該資格付与方法を図１に示す第１の端末１１０に用いることを例として説明する。図８に示すように、該資格付与方法は、以下のステップを含む。
【０１２３】
ステップ８０１では、サーバから転送された、目的サービスに対する優先申込資格を取得するように要求するための要求であって、第２のアカウントからサーバに送信されかつサーバが第１のアカウントが目的サービスを使用したことを検出した後に第２のアカウントの友達関係の輪のうちの友達に対応するアカウントである第１のアカウントに転送した要求である資格取得要求を受信する。
【０１２４】
ステップ８０２では、資格付与応答を、資格付与応答を受信した場合に第２のアカウントに目的サービスに対する優先申込資格を付与するサーバに送信する。
【０１２５】
以上をまとめると、本実施例に係る資格付与方法は、サーバから送信された、第２のアカウントからサーバに送信されかつサーバが第１のアカウントが目的サービスを使用したことを検出した後に該第１のアカウントに転送した要求である資格取得要求を受信することと、資格付与応答をサーバに送信してサーバが資格付与応答を受信した後に第２のアカウントに目的サービスに対する優先申込資格を付与することにより、従来の技術ではネットワーク輻輳、さらにサーバ停止をもたらすという問題を解決し、目的サービスを利用した第１のアカウントから第２のアカウントに優先申込資格を共有し、目的サービスを適切に第２のアカウントに提供するという効果を達成する。
【０１２６】
図９は、本発明のさらなる１つの実施例に係る資格付与方法を示す方法フローチャートであり、本実施例では、該資格付与方法を図１に示す実施環境に用いることを例として説明する。図９に示すように、該資格付与方法は、以下のステップを含む。
【０１２７】
ステップ９０１では、第２の端末は資格取得要求をサーバに送信する。
【０１２８】
第２の端末は第２のアカウントに対応する端末である。言い換えれば、第２の端末では第２のアカウントでログインしたクライアントが動作している。第２の端末は資格取得要求をサーバに送信する。
【０１２９】
資格取得要求は、目的サービスに対する優先申込資格を取得するように要求するためのものである。資格取得要求は目的サービスのサービス識別子を持っている。
【０１３０】
ステップ９０２では、サーバは第２のアカウントから送信された、目的サービスに対する優先申込資格を取得するように要求するための資格取得要求を受信する。
【０１３１】
ステップ９０３では、サーバは第２のアカウントの友達関係の輪を取得する。
【０１３２】
サーバは資格取得要求から第２のアカウントの通信情報を解析する。該通信情報は携帯電話番号、メールボックスアドレス、インスタント通信アカウント等でよい。サーバは第２のアカウントの通信情報に基づいて第２のアカウントの友達関係の輪を取得する。
【０１３３】
第２のアカウントの友達関係の輪が他のサーバに保存されていれば、サーバは他のサーバに友達関係の輪に関する照会要求を送信し、次に他のサーバからフィードバックされた友達関係の輪を受信することができる。
【０１３４】
例えば、第２のアカウントの通信情報がメールボックスａｂｃｄ＠１６４.ｃｏｍであれば、サーバはａｂｃｄ＠１６４.ｃｏｍの友達関係の輪を取得する。
【０１３５】
ステップ９０４では、サーバは資格取得要求を友達関係の輪のうち目的サービスを利用した友達に対応する第１のアカウントに転送する。
【０１３６】
サーバは資格取得要求から目的サービスのサービス識別子を解析する。該サービス識別子に基づいて友達関係の輪における各友達のうちどれらの友達が目的サービスを利用したかを検出するとともに、資格取得要求を該友達に対応する第１のアカウントに転送する。
【０１３７】
各友達の履歴利用記録が他のサーバに保存されていれば、サーバは他のサーバに各友達の利用記録照会要求を送信し、次に他のサーバからフィードバックされた照会結果を受信し、照会された各友達の履歴利用記録に基づいてどれらの友達がサービス識別子に対応する目的サービスを利用したかを検出することができる。
【０１３８】
ステップ９０５では、第１の端末はサーバから転送された資格取得要求を受信する。
【０１３９】
ステップ９０６では、第１の端末は資格付与応答をサーバに送信する。
【０１４０】
第１の端末は、第２のアカウントに目的サービスに対する優先申込資格を付与することに同意した場合、資格付与応答をサーバに送信することができる。
【０１４１】
ステップ９０７では、サーバは第１のアカウントから送信された資格付与応答を受信した場合、資格取得要求に従って第２のアカウントの通信情報を取得する。
【０１４２】
それに対応して、サーバは資格付与応答を受信した場合、資格取得要求に従って第２のアカウントの通信情報を取得する。
【０１４３】
サーバは資格取得要求から第２のアカウントの通信情報を解析する。該通信情報は、携帯電話番号、メールボックス番号、インスタント通信アカウント等でよい。
【０１４４】
ステップ９０３では第２のアカウントの通信情報が解析された場合、サーバは予め取得された第２のアカウントの通信情報を直接的に読み取ることができ、本実施例ではこれを限定しない。
【０１４５】
ステップ９０８では、サーバは通信情報に基いて第２のアカウントに、目的サービスを優先的に申し込む権限を有する優先申込資格コードを送信する。
【０１４６】
優先申込資格は、優先申込資格コードで示されてよく、優先申込資格コードは、サーバで生成された一列の固定長の文字列でよい。第２のアカウントは、目的サービスを申し込む場合、優先申込資格コードを入力してサーバに自己の優先申込資格を示すことができる。
【０１４７】
サーバは、優先申込資格コードを生成し、次に第２のアカウントの通信情報に基いて第２のアカウントに優先申込資格コードを送信する。
【０１４８】
ステップ９０９では、第２の端末はサーバから送信された優先申込資格コードを受信する。
【０１４９】
補充説明すべきことは、ステップ９０７の前に、サーバは以下のステップを実行してもよい。即ち、同種のサービスに対応して、サーバは、受信した第１のアカウントから送信された資格付与応答の個数が最大の個数に達するか否かを検出し、最大の個数に達していなければ、ステップ９０７を実行し、それ以外の場合、フローが終了し、本実施例ではこれを限定しない。
【０１５０】
以上をまとめると、本実施例に係る資格付与方法は、第２のアカウントから送信された資格取得要求を第２のアカウントの友達関係の輪のうち目的サービスを利用した友達に対応する第１のアカウントに転送し、さらに第１のアカウントの資格付与応答を受信した場合、第２のアカウントに目的サービスに対する優先申込資格を付与することにより、従来の技術ではネットワーク輻輳、さらにサーバ停止をもたらすという問題を解決し、目的サービスを利用した第１のアカウントから第２のアカウントに優先申込資格を共有し、目的サービスを適切に第２のアカウントに提供するという効果を達成する。
【０１５１】
以下、本発明の装置の実施例であり、本発明の方法の実施例を実行することに用いられる。本発明の装置の実施例に開示しない詳細について、本発明の方法の実施例を参照すればよい。
【０１５２】
図１０は、本発明の１つの実施例に係る資格付与装置を示す構造ブロック図であり、本実施例では、該資格付与装置を図１に示すサーバ１３０に用いることを例として説明する。図１０に示すように、該資格付与装置は、要求受信モジュール１０１０、アカウント検出モジュール１０２０及び資格付与モジュール１０３０を含む。
【０１５３】
要求受信モジュール１０１０は、第１のアカウントが第２のアカウントのために送信した資格共有要求であって、第２のアカウントに目的サービスに対する優先申込資格を付与するように要求するための資格共有要求を受信するように構成されている。
【０１５４】
アカウント検出モジュール１０２０は、第１のアカウントが目的サービスを利用したか否かを検出するように構成されている。
【０１５５】
資格付与モジュール１０３０は、アカウント検出モジュール１０２０が第１のアカウントが目的サービスを利用したことを検出した場合、第２のアカウントに目的サービスに対する優先申込資格を付与するように構成されている。
【０１５６】
以上をまとめると、本実施例に係る資格付与装置は、第１のアカウントが第２のアカウントのために送信した資格共有要求を受信することと、第１のアカウントが目的サービスを利用したか否かを検出することと、第１のアカウントが目的サービスを利用した場合、第２のアカウントに目的サービスに対する優先申込資格を付与することにより、従来の技術ではネットワーク輻輳、さらにサーバ停止をもたらすという問題を解決し、目的サービスを利用した第１のアカウントから第２のアカウントに優先申込資格を共有し、目的サービスを適切に第２のアカウントに提供するという効果を達成する。
【０１５７】
図１１は、本発明の１つの実施例に係る資格付与装置を示す構造ブロック図であり、本実施例では、該資格付与装置を図１に示すサーバ１３０に用いることを例として説明する。図１１に示すように、該資格付与装置は、要求受信モジュール１１１０、アカウント検出モジュール１１２０及び資格付与モジュール１１３０を含む。
【０１５８】
要求受信モジュール１１１０は、第１のアカウントが第２のアカウントのために送信した資格共有要求であって、第２のアカウントに目的サービスに対する優先申込資格を付与するように要求するための資格共有要求を受信するように構成されている。
【０１５９】
アカウント検出モジュール１１２０は、第１のアカウントが目的サービスを利用したか否かを検出するように構成されている。
【０１６０】
資格付与モジュール１１３０は、アカウント検出モジュール１１２０が第１のアカウントが目的サービスを利用したことを検出した場合、第２のアカウントに目的サービスに対する優先申込資格を付与するように構成されている。
【０１６１】
好ましくは、該資格付与モジュール１１３０は、
資格共有要求に従って第２のアカウントの通信情報を取得するように構成された通信情報取得サブモジュール１１３１と、
通信情報取得サブモジュール１１３１で取得された通信情報に基づいて第２のアカウントに目的サービスを優先的に申し込む権限を有する優先申込資格コードを送信するように構成された資格付与サブモジュール１１３２と、を含む。
【０１６２】
以上をまとめると、本実施例に係る資格付与装置は、第１のアカウントが第２のアカウントのために送信した資格共有要求を受信することと、第１のアカウントが目的サービスを利用したか否かを検出することと、第１のアカウントが目的サービスを利用した場合、第２のアカウントに目的サービスに対する優先申込資格を付与することにより、従来の技術ではネットワーク輻輳、さらにサーバ停止をもたらすという問題を解決し、目的サービスを利用した第１のアカウントから第２のアカウントに優先申込資格を共有し、目的サービスを適切に第２のアカウントに提供するという効果を達成する。
【０１６３】
図１２は、本発明のさらなる１つの実施例に係る資格付与装置を示す構造ブロック図であり、本実施例では、該資格付与装置を図１に示す第１の端末１１０に用いることを例として説明する。図１２に示すように、該資格付与装置は、情報取得モジュール１２１０、要求生成モジュール１２２０及び要求送信モジュール１２３０を含む。
【０１６４】
情報取得モジュール１２１０は、目的サービスのサービス識別子及び第２のアカウントの通信情報を取得するように構成されている。
【０１６５】
要求生成モジュール１２２０は、サービス識別子及び通信情報に基いて、第２のアカウントに目的サービスに対する優先申込資格を付与するように要求するための資格共有要求を生成するように構成されている。
【０１６６】
要求送信モジュール１２３０は、第１のアカウントが目的サービスを利用したことを検出した後に第２のアカウントに目的サービスに対する優先申込資格を付与するよう構成されたサーバに、要求生成モジュール１２２０により生成された資格共有要求を送信するように構成されている。
【０１６７】
以上をまとめると、本実施例に係る資格付与装置は、第１のアカウントにより目的サービスのサービス識別子及び第２のアカウントの通信情報を取得することと、サービス識別子及び通信情報に基いて資格共有要求を生成することと、サーバに該資格共有要求を送信することにより、従来の技術ではネットワーク輻輳、さらにサーバ停止をもたらすという問題を解決し、目的サービスを利用した第１のアカウントから第２のアカウントに優先申込資格を共有し、目的サービスを適切に第２のアカウントに提供するという効果を達成する。
【０１６８】
図１３は、本発明のさらなる１つの実施例に係る資格付与装置を示す構造ブロック図であり、本実施例では、該資格付与装置を図１に示す第１の端末１１０に用いることを例として説明する。図１３に示すように、該資格付与装置は、情報取得モジュール１３１０、要求生成モジュール１３２０及び要求送信モジュール１３３０を含む。
【０１６９】
情報取得モジュール１３１０は、目的サービスのサービス識別子及び第２のアカウントの通信情報を取得するように構成されている。
【０１７０】
要求生成モジュール１３２０は、サービス識別子及び通信情報に基いて、第２のアカウントに目的サービスに対する優先申込資格を付与するように要求するための資格共有要求を生成するように構成されている。
【０１７１】
要求送信モジュール１３３０は、第１のアカウントが目的サービスを利用したことを検出した後に第２のアカウントに目的サービスに対する優先申込資格を付与するよう構成されたサーバに、要求生成モジュール１３２０により生成された資格共有要求を送信するように構成されている。
【０１７２】
好ましくは、該情報取得モジュール１３１０は、
ユーザにより利用された目的サービスに対してトリガーされた所定のトリガー信号を受信するように構成された信号受信サブモジュール１３１１と、
目的サービスに対応する資格共有インターフェースを提供するように構成されたインターフェース提供サブモジュール１３１２と、
インターフェース提供サブモジュール１３１２により提供された資格共有インターフェースに基づいて目的サービスのサービス識別子及び第２のアカウントの通信情報を取得するように構成された情報取得サブモジュール１３１３と、を含む。
【０１７３】
以上をまとめると、本実施例に係る資格付与装置は、第１のアカウントにより目的サービスのサービス識別子及び第２のアカウントの通信情報を取得することと、サービス識別子及び通信情報に基いて資格共有要求を生成することと、サーバに該資格共有要求を送信することにより、従来の技術ではネットワーク輻輳、さらにサーバ停止をもたらすという問題を解決し、目的サービスを利用した第１のアカウントから第２のアカウントに優先申込資格を共有し、目的サービスを適切に第２のアカウントに提供するという効果を達成する。
【０１７４】
図１４は、本発明の１つの実施例に係る資格付与装置を示す構造ブロック図であり、本実施例では、該資格付与装置を図１に示すサーバ１３０に用いることを例として説明する。図１４に示すように、該資格付与装置は、要求受信モジュール１４１０、関係の輪取得モジュール１４２０、要求転送モジュール１４３０及び資格付与モジュール１４４０を含む。
【０１７５】
要求受信モジュール１４１０は、第２のアカウントから送信された、目的サービスに対する優先申込資格を取得するように要求するための資格取得要求を受信するように構成されている。
【０１７６】
関係の輪取得モジュール１４２０は、第２のアカウントの友達関係の輪を取得するように構成されている。
【０１７７】
要求転送モジュール１４３０は、資格取得要求を友達関係の輪のうち目的サービスを利用した友達に対応する第１のアカウントに転送するように構成されている。
【０１７８】
資格付与モジュール１４４０は、第１のアカウントから送信された資格付与応答を受信した場合、第２のアカウントに目的サービスに対する優先申込資格を付与するように構成されている。
【０１７９】
以上をまとめると、本実施例に係る資格付与装置は、第２のアカウントから送信された資格取得要求を第２のアカウントの友達関係の輪のうち目的サービスを利用した友達に対応する第１のアカウントに転送し、さらに第１のアカウントの資格付与応答を受信した場合、第２のアカウントに目的サービスに対する優先申込資格を付与することにより、従来の技術ではネットワーク輻輳、さらにサーバ停止をもたらすという問題を解決し、目的サービスを利用した第１のアカウントから第２のアカウントに優先申込資格を共有し、目的サービスを適切に第２のアカウントに提供するという効果を達成する。
【０１８０】
図１５は、本発明の１つの実施例に係る資格付与装置を示す構造ブロック図であり、本実施例では、該資格付与装置を図１に示すサーバ１３０に用いることを例として説明する。図１５に示すように、該資格付与装置は、要求受信モジュール１５１０、関係の輪取得モジュール１５２０、要求転送モジュール１５３０及び資格付与モジュール１５４０を含む。
【０１８１】
要求受信モジュール１５１０は、第２のアカウントから送信された、目的サービスに対する優先申込資格を取得するように要求するための資格取得要求を受信するように構成されている。
【０１８２】
関係の輪取得モジュール１５２０は、第２のアカウントの友達関係の輪を取得するように構成されている。
【０１８３】
要求転送モジュール１５３０は、資格取得要求を友達関係の輪のうち目的サービスを利用した友達に対応する第１のアカウントに転送するように構成されている。
【０１８４】
資格付与モジュール１５４０は、第１のアカウントから送信された資格付与応答を受信した場合、第２のアカウントに目的サービスに対する優先申込資格を付与するように構成されている。
【０１８５】
好ましくは、該資格付与モジュール１５４０は、
資格取得要求に従って第２のアカウントの通信情報を取得するように構成された通信情報取得サブモジュール１５４１と、
通信情報に基いて第２のアカウントに、目的サービスを優先的に申し込む権限を有する優先申込資格コードを送信するように構成された資格付与サブモジュール１５４２と、を含む。
【０１８６】
以上をまとめると、本実施例に係る資格付与装置は、第２のアカウントから送信された資格取得要求を第２のアカウントの友達関係の輪のうち目的サービスを利用した友達に対応する第１のアカウントに転送し、さらに第１のアカウントの資格付与応答を受信した場合、第２のアカウントに目的サービスに対する優先申込資格を付与することにより、従来の技術ではネットワーク輻輳、さらにサーバ停止をもたらすという問題を解決し、目的サービスを利用した第１のアカウントから第２のアカウントに優先申込資格を共有し、目的サービスを適切に第２のアカウントに提供するという効果を達成する。
【０１８７】
図１６は、本発明の１つの実施例に係る資格取得装置を示す構造ブロック図であり、本実施例では、該資格取得装置を図１に示す第２の端末１２０に用いることを例として説明する。図１６に示すように、該資格取得装置は、要求送信モジュール１６１０及び資格取得モジュール１６２０を含む。
【０１８８】
要求送信モジュール１６１０は、第２のアカウントの友達関係の輪を取得した後に資格取得要求を友達関係の輪のうち目的サービスを利用した友達に対応する第１のアカウントに転送するとともに、第１のアカウントから送信された資格付与応答を受信した場合に第２のアカウントに目的サービスに対する優先申込資格を付与するよう構成されたサーバに、目的サービスに対する優先申込資格を取得するように要求するための資格取得要求を送信するように構成されている。
【０１８９】
資格取得モジュール１６２０は、サーバから付与された目的サービスに対する優先申込資格を取得するように構成されている。
【０１９０】
以上をまとめると、本実施例に係る資格取得装置は、資格取得要求をサーバに送信し、サーバが該資格取得要求を友達関係の輪のうち該サービスを利用した友達に対応する第１のアカウントに転送するとともに、第１のアカウントから送信された資格付与応答を受信した場合、第２のアカウントに目的サービスに対する優先申込資格を付与することと、それに対応して、第２のアカウントがサーバから付与された優先申込資格を取得することにより、従来の技術ではネットワーク輻輳、さらにサーバ停止をもたらすという問題を解決し、目的サービスを利用した第１のアカウントから第２のアカウントに優先申込資格を共有し、目的サービスを適切に第２のアカウントに提供するという効果を達成する。
【０１９１】
上記実施例に基づく１つの好ましい実施例において、該資格取得モジュール１６２０は、サーバから送信された、目的サービスを優先的に申し込む権限を有する優先申込資格コードを受信するように構成されてもよい。
【０１９２】
以上をまとめると、本実施例に係る資格取得装置は、サーバから送信された、第２のアカウントからサーバに送信されかつサーバが第１のアカウントが目的サービスを使用したことを検出した後に該第１のアカウントに転送した要求である資格取得要求を受信することと、資格付与応答をサーバに送信してサーバが資格付与応答を受信した後に第２のアカウントに目的サービスに対する優先申込資格を付与することにより、従来の技術ではネットワーク輻輳、さらにサーバ停止をもたらすという問題を解決し、目的サービスを利用した第１のアカウントから第２のアカウントに優先申込資格を共有し、目的サービスを適切に第２のアカウントに提供するという効果を達成する。
【０１９３】
図１７は、本発明のさらなる１つの実施例に係る資格付与装置を示す構造ブロック図であり、本実施例では、該資格付与装置を図１に示す第１の端末１１０に用いることを例として説明する。図１７に示すように、該資格付与装置は、要求受信モジュール１７１０及び応答送信モジュール１７２０を含む。
【０１９４】
要求受信モジュール１７１０は、サーバから転送された、目的サービスに対する優先申込資格を取得するように要求するための要求であって、第２のアカウントからサーバに送信されかつサーバが第１のアカウントが目的サービスを使用したことを検出した後に第２のアカウントの友達関係の輪のうちの友達に対応するアカウントである第１のアカウントに転送した要求である資格取得要求を受信するように構成されている。
【０１９５】
応答送信モジュール１７２０は、資格付与応答を、資格付与応答を受信した場合に第２のアカウントに目的サービスに対する優先申込資格を付与するサーバに送信するように構成されている。
【０１９６】
以上をまとめると、本実施例に係る資格付与装置は、サーバから送信された、第２のアカウントからサーバに送信されかつサーバが第１のアカウントが目的サービスを使用したことを検出した後に該第１のアカウントに転送した要求である資格取得要求を受信することと、資格付与応答をサーバに送信してサーバが資格付与応答を受信した後に第２のアカウントに目的サービスに対する優先申込資格を付与することにより、従来の技術ではネットワーク輻輳、さらにサーバ停止をもたらすという問題を解決し、目的サービスを利用した第１のアカウントから第２のアカウントに優先申込資格を共有し、目的サービスを適切に第２のアカウントに提供するという効果を達成する。
【０１９７】
上記実施例に係る装置については、各モジュールが操作を実行する具体的な方式は、該方法に関する実施例において詳しく説明しているので、ここで詳しく説明しない。
【０１９８】
図１８は、１つの例示的な実施例に示される端末１８００のブロック図である。端末１８００は、図１における第１のアカウントに対応する第１の端末であってもよく、第２のアカウントに対応する第２の端末であってもよい。端末１８００は、携帯電話、コンピュータ、デジタル放送端末、メッセージ送受信機器、ゲームコンソール、タブレットデバイス、医療機器、フィットネス機器、パーソナルデジタルアシスタント等であってもよい。
【０１９９】
図１８を参照すると、端末１８００は、プロセスアセンブリ１８０２、メモリ１８０４、電源アセンブリ１８０６、マルチメディアアセンブリ１８０８、オーディオアセンブリ１８１０、入出力（Ｉ／Ｏ）インターフェイス１８１２、センサアセンブリ１８１４、及び通信アセンブリ１８１６のうち１つ以上のアセンブリを含んでよい。
【０２００】
プロセスアセンブリ１８０２は、一般的には端末１８００全体の動作を制御するものであり、例えば表示、電話呼び出し、データ通信、カメラ動作及び記録動作と関連する動作を制御する。プロセスアセンブリ１８０２は、指令を実行するように１つ以上のプロセッサ１８１８を含むことにより、上記方法のすべての又は一部のステップを実現するようにしてもよい。なお、プロセスアセンブリ１８０２は、１つ以上のモジュールを含むことにより、プロセスアセンブリ１８０２と他のアセンブリの間のインタラクションを容易にするようにしてもよい。例えば、プロセスアセンブリ１８０２は、マルチメディアモジュールを含むことにより、マルチメディアアセンブリ１８０８とプロセスアセンブリ１８０２の間のインタラクションを容易にするようにしてもよい。
【０２０１】
メモリ１８０４は、各種類のデータを記憶することにより端末１８００の動作を支援するように構成されている。これらのデータの例は、端末１８００において動作するいずれのアプリケーションプログラム又は方法の命令、連絡対象データ、電話帳データ、メッセージ、画像、ビデオ等も含む。メモリ１８０４は、いずれの種類の揮発性、不揮発性の記憶デバイス又はそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク又は光ディスクである。
【０２０２】
電源アセンブリ１８０６は、端末１８００の多様なアセンブリに電力を供給する。電源アセンブリ１８０６は、電源管理システム、１つ以上の電源、及び端末１８００のための電力の生成、管理及び割り当てに関連する他のアセンブリを含んでもよい。
【０２０３】
マルチメディアアセンブリ１８０８は、前記端末１８００とユーザの間に１つの出力インターフェイスを提供するスクリーンを含む。いくつかの実施例において、スクリーンは液晶表示機器（ＬＣＤ）とタッチパネル（ＴＰ）を含んでもよい。スクリーンがタッチパネルを含んでいれば、スクリーンはタッチスクリーンとして実現されることにより、ユーザからの入力信号を受信することができる。タッチパネルは１つ以上のタッチセンサを含むことにより、タッチ、スライド、及びタッチパネル上のジェスチャを検出する。前記タッチセンサは、タッチ又はスライド動作の境界だけでなく、前記タッチ又はスライド操作に係る継続時間及び圧力を検出することができる。いくつかの実施例において、マルチメディアアセンブリ１８０８は、１つのフロントカメラ及び／又はリアカメラを含む。端末１８００が、例えば撮影モード又はビデオモード等の操作モードにある場合、フロントカメラ及び／又はリアカメラは外部からマルチメディアデータを受信することができる。各フロントカメラとリアカメラのそれぞれは、１つの固定型の光学レンズ系又は可変焦点距離と光学ズーム機能を有するものであってもよい。
【０２０４】
オーディオアセンブリ１８１０は、オーディオ信号を入出力するように構成されている。例えば、オーディオアセンブリ１８１０は、１つのマイク（ＭＩＣ）を含み、端末１８００が、例えば呼出しモード、記録モード及び音声認識モード等の操作モードにある場合、マイクは外部のオーディオ信号を受信するように構成されている。受信されたオーディオ信号は、さらにメモリ１８０４に記憶されたり、通信アセンブリ１８１６を介して送信されたりすることができる。いくつかの実施例において、オーディオアセンブリ１８１０は、オーディオ信号を出力するための１つのスピーカをさらに含む。
【０２０５】
Ｉ／Ｏインターフェイス１８１２は、プロセスアセンブリ１８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、及びロッキングボタンを含んでもよいが、これらに限定されない。
【０２０６】
センサアセンブリ１８１４は、端末１８００に各方面の状態に対する評価を提供するための１つ以上のセンサを含む。例えば、センサアセンブリ１８１４は、端末１８００のＯＮ／ＯＦＦ状態、端末１８００のディスプレイとキーパッドのようなアセンブリの相対的な位置決めを検出することができる。また、センサアセンブリ１８１４は、端末１８００又は端末１８００の１つのアセンブリの位置変更、ユーザと端末１８００が接触しているか否か、端末１８００の方位、又は加速／減速、端末１８００の温度の変化を検出することができる。センサアセンブリ１８１４は、何れの物理的接触もない状態でも付近の物体の存在を検出するための近接センサを含んでもよい。センサアセンブリ１８１４は、撮影アプリケーションに適用するため、ＣＭＯＳ、又はＣＣＤ画像センサのような光センサを含んでもよい。いくつかの実施例において、該センサアセンブリ１８１４は、加速度センサ、ジャイロスコープセンサ、磁気センサ、圧力センサ又は温度センサをさらに含んでもよい。
【０２０７】
通信アセンブリ１８１６は、端末１８００と他の機器の間に有線、又は無線形態の通信を提供する。端末１８００は、例えばＷｉＦｉ、２Ｇ、３Ｇ、又はこれらの組み合わせのような、通信規格に基づいた無線ネットワークに接続されてもよい。１つの例示的な実施例において、通信アセンブリ１８１６は、放送チャンネルを介して外部の放送管理システムからの放送信号、又は放送に関連する情報を受信する。１つの例示的な実施例において、前記通信アセンブリ１８１６は、近距離無線通信（ＮＦＣ）モジュールをさらに含むことにより、近距離通信を推進する。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、他の技術に基づいて実現できる。
【０２０８】
例示的な実施例において、端末１８００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ又は他の電子部品によって実現されるものであり、上記方法を実行する。
【０２０９】
例示的な実施例において、さらに、指令を含むコンピュータ読み取り可能な非一時的な記憶媒体、例えば、指令を含むメモリ１８０４を提供し、端末１８００のプロセッサ１８１８により前記指令を実行して上記方法を実現する。例えば、前記コンピュータ読み取り可能な非一時的な記憶媒体は、ＲＯＭ、ＲＡＭ、ＣＤ−ＲＯＭ、磁気テープ、フロッピー（登録商標）ディスク及び光データ記憶機器などであってもよい。
【０２１０】
図１９は、１つの例示的な実施例に示される関連情報を生成するための装置１９００のブロック図である。例えば、装置１９００は、サーバとして提供されてもよい。図１９を参照すると、装置１９００は、１つ以上のプロセッサを備えるプロセスアセンブリ１９２２と、プロセスアセンブリ１９２２で実行可能な命令、例えばアプリケーションプログラムを記憶するためのメモリ１９３２で示されるメモリリソースを含む。メモリ１９３２に記憶されているアプリケーションプログラムは、１つ以上のモジュールを含んでよく、各々のモジュールが一組の命令に対応する。なお、プロセスアセンブリ１９２２は、命令を実行することにより、上記方法を実行する。
【０２１１】
装置１９００は、装置１９００の電源管理を実行するように構成されている１つの電源アセンブリ１９２６、装置１９００をネットワークに接続させるように構成されている１つの有線又は無線ネットワークインターフェイス１９５０、及び１つの入出力（Ｉ／Ｏ）インターフェイス１９５８を含んでもよい。装置１９００は、メモリ１９３２に記憶されている操作システム、例えばＷｉｎｄｏｗｓ  Ｓｅｒｖｅｒ（登録商標）、Ｍａｃ  ＯＳ  Ｘ（登録商標）、Ｕｎｉｘ（登録商標）,  Ｌｉｎｕｘ（登録商標）、ＦｒｅｅＢＳＤ（登録商標）又は類似なものを動作することができる。
【０２１２】
当業者にとって、明細書を考慮してこの発明を実施した後、本発明のその他の実施の形態を容易に想到し得ることができる。本願は、本発明のいかなる変形、用途又は適応的変化をカバーすることを目的とし、これら変形、用途又は適応的変化は、本発明の一般的原理に従うとともに、本発明に開示されていない本技術分野における公知の常識又は慣用の技術手段を含む。明細書及び実施例は、例示的なものに過ぎず、本発明の本当の範囲及び主旨は、特許請求の範囲に含まれる。
【０２１３】
本発明は、以上のように説明すると共に図面に示された正確な構造に限られず、その要旨を逸脱しない範囲内で各種の補正及び変更を行うことができると理解すべきである。本発明の範囲は、特許請求の範囲のみで限定される。
【０２１４】
本願は、出願番号がＣＮ２０１４１０７７０９３９．６で、出願日が２０１４年１２月１２日である中国特許出願に基づき優先権を主張し、該中国特許出願のすべての内容を本願に援用する。
【図１】
0006476206.tif 000002
【図２】
0006476206.tif 000003
【図３】
0006476206.tif 000004
【図４Ａ】
0006476206.tif 000005
【図４Ｂ】
0006476206.tif 000006
【図５Ａ】
0006476206.tif 000007
【図５Ｂ】
0006476206.tif 000008
【図５Ｃ】
0006476206.tif 000009
【図６】
0006476206.tif 000010
【図７】
0006476206.tif 000011
【図８】
0006476206.tif 000012
【図９】
0006476206.tif 000013
【図１０】
0006476206.tif 000014
【図１１】
0006476206.tif 000015
【図１２】
0006476206.tif 000016
【図１３】
0006476206.tif 000017
【図１４】
0006476206.tif 000018
【図１５】
0006476206.tif 000019
【図１６】
0006476206.tif 000020
【図１７】
0006476206.tif 000021
【図１８】
0006476206.tif 000022
【図１９】
0006476206.tif 000023